(57)【要約】【課題】本発明の目的は、紙媒体に散在した情報を関連性のある情報ごとに集約して取得できる画像読取装置及び画像形成装置を提供することにある。【解決手段】画像読取装置は、画像読取部１０と認識部３０と検索部４０と画像分割部５０とデータ付加部６０と制御部７０とを備える。画像読取部１０は原稿を読取り、画像データを生成する。認識部３０は、画像データに含まれる認識データを認識する。検索部４０は、画像データに含まれる認識データの中から第１データを検索する。画像分割部５０は、検索部４０の検索結果に基づいて画像データを分割し、分割画像データを生成する。データ付加部６０は、第１データと分割画像データとを関連付ける。制御部７０は、分割画像データに関連付けられた第１データに基づいて所定の処理を行う。【選択図】図２
2015142258.tif 000002
【特許請求の範囲】
【請求項１】
原稿を読み取り、画像データを生成する画像読取部と、
前記画像データに含まれる認識データを認識する認識部と、
前記認識データの中から第１データを検索する検索部と、
前記検索結果に基づいて前記画像データを分割し、分割画像データを生成する画像分割部と、
前記第１データと前記分割画像データとを関連付けるデータ付加部と、
前記分割画像データに関連付けられた第１データに基づいて所定の処理を行う制御部と
を備える、画像読取装置。
【請求項２】
前記画像分割部は、前記分割画像データを複数生成し、
前記制御部は、前記第１データに基づいて、前記複数の分割画像データから少なくとも１以上の併合した併合画像データを生成する、請求項１に記載の画像読取装置。
【請求項３】
情報の入力若しくは出力又はその双方を行う入出力部を更に備え、
前記入出力部は、前記画像データを表示する、請求項１又は請求項２に記載の画像読取装置。
【請求項４】
原稿読取形式として、１枚の原稿から１つの画像データを生成する通常モードと、１枚の原稿から２つの画像データを生成する見開きモードとを有し、
前記画像読取部は、前記通常モード又は前記見開きモードを選択する、請求項３に記載の画像読取装置。
【請求項５】
前記画像データを保存する記憶部を更に備える、請求項１から請求項４のいずれか１項に記載の画像読取装置。
【請求項６】
前記第１データは、前記入出力部を介して任意に設定される、請求項３に記載の画像読取装置。
【請求項７】
前記第１データは、認識データの中から任意に選択される、請求項１から請求項６のいずれか１項に記載の画像読取装置。
【請求項８】
前記第１データは、日付文字データである、請求項１から請求項７のいずれか１項に記載の画像読取装置。
【請求項９】
前記第１データは、記号データである、請求項１から請求項８のいずれか１項に記載の画像読取装置。
【請求項１０】
請求項１から請求項９のいずれか１項に記載の画像読取装置と、
前記画像データに基づいて画像を形成する画像形成部と
を備える、画像形成装置。
【発明の詳細な説明】
【技術分野】
【０００１】
本発明は、画像読取装置及び画像形成装置に関する。
【背景技術】
【０００２】
紙媒体に記載された情報には、関連性のある情報が散在しており、紙媒体から関連性のある情報を集約して取得することが困難であった。また、紙媒体に記載された情報には、必要な情報と不必要な情報とが混在しており、必要な情報だけを取得することも困難であった。そこで、特許文献１に記載の分類別集約管理システムでは、電子ペンを使用して紙媒体に記載された情報を細分化して記録管理している。
【０００３】
また、特許文献２に記載の画像処理装置では、所定のマーカー色で囲まれたエリアに対して編集を可能としている。
【先行技術文献】
【特許文献】
【０００４】
【特許文献１】特開２００６−１１９７１２号公報
【特許文献２】特開平２−２２０５６５号公報
【発明の概要】
【発明が解決しようとする課題】
【０００５】
しかしながら、特許文献１に記載の分類別集約管理システムでは、電子ペンが必要となり、ユーザー利便性の向上を妨げる。
【０００６】
また、特許文献２に記載の画像処理装置では、画像データを分割することができず、必要な情報だけを集約して取得することができなかった。
【０００７】
本発明は上記課題に鑑みてなされたものであり、本発明の目的は、紙媒体に散在した情報を関連性のある情報ごとに集約して取得できる画像読取装置及び画像形成装置を提供することにある。
【課題を解決するための手段】
【０００８】
本発明に係る画像読取装置は、画像読取部と認識部と検索部と画像分割部とデータ付加部と制御部とを備える。前記画像読取部は原稿を読み取り、画像データを生成する。前記認識部は、前記画像データに含まれる認識データを認識する。前記検索部は、前記画像データに含まれる前記認識データの中から第１データを検索する。前記画像分割部は、前記検索部の検索結果に基づいて前記画像データを分割し、分割画像データを生成する。前記データ付加部は、前記第１データと前記分割画像データとを関連付ける。前記制御部は、前記分割画像データに関連付けられた前記第１データに基づいて所定の処理を行う。
【０００９】
本発明に係る画像形成装置は、上記に記載の画像読取装置と、前記画像読取装置によって読み取られ、所定の処理が行われた画像データに基づいて画像を形成する画像形成部とを備える。
【発明の効果】
【００１０】
本発明に係る画像読取装置は、原稿を読み取り画像データを生成する。そして画像データに含まれる認識データを認識し、認識したデータの中から所定の記号データを検索する。更に画像読取装置は、検索結果に基づいて作成した画像データを分割し、分割した画像データと所定の記号データとを関連付ける。したがって、画像読取装置は所定の記号に基づいて、分割した画像データを併合することができる。その結果、ユーザーは、原稿に煩雑に記載された情報から、ユーザーの必要とする情報を集約して取得することができる。
【図面の簡単な説明】
【００１１】
【図１】本発明の実施形態１に係る画像読取装置１のブロック図である。
【図２】本発明の実施形態１に係る画像読取装置１の画像データ生成処理を説明する図である。
【図３】本発明の実施形態１に係る画像読取装置１の画像データ生成処理を示すフローチャートである。
【図４】本発明の実施形態２に係る画像読取装置１の画像データ生成処理を説明する図である。
【図５】本発明の実施形態２に係る画像読取装置１の画像データ生成処理を説明する図である。
【図６】本発明の実施形態２に係る画像読取装置１の原稿の読み取り処理を示すフローチャートである。
【図７】本発明の実施形態２に係る画像読取装置１の所定の処理を示すフローチャートである。
【図８】本発明の実施形態３に係る画像読取装置１の画像データ生成処理を説明する図である。
【図９】本発明の実施形態３に係る画像読取装置１の画像データ生成処理を示すフローチャートである。
【図１０】本発明の実施形態４に係る画像形成装置を示す模式図である。
【発明を実施するための形態】
【００１２】
以下、図面を参照して本発明に係る画像読取装置及び画像形成装置の実施形態を説明する。なお、図中、同一又は相当部分については同一の参照符号を付して説明を繰り返さない。
［実施形態１：基本構成］
図１を参照して、本発明に係る画像読取装置１の実施形態を説明する。図１は、本発明の実施形態に係る画像読取装置１のブロック図である。
【００１３】
画像読取装置１は、画像読取部１０と、認識部３０と、検索部４０と、画像分割部５０と、データ付加部６０と、制御部７０とを備える。
【００１４】
画像読取部１０は、原稿を読み取り、画像データを生成する。また、画像読取部１０は、原稿の読取形式を選択する。本実施形態において画像読取装置１はスキャナーである。本実施形態の原稿は手書きの文書が記載された普通紙である。原稿は、普通紙以外の紙、ノート、布などであってもよい。
【００１５】
認識部３０は、生成された画像データに含まれる認識データを認識する。本実施形態において認識部３０は光学式文字読取装置（Ｏｐｔｉｃａｌ  Ｃｈａｒａｃｔｅｒ  Ｒｅａｄｅｒ：ＯＣＲ）である。
【００１６】
検索部４０は、認識部３０が認識したデータの中から第１データを検索する。第１データは、例えば、日付文字データ、三角記号データ又は星記号データである。第１データは、範囲記号と同一の文字又は記号をデータ化したものである。範囲記号は、原稿から生成される画像データを分割するために範囲を指定する記号である。
【００１７】
画像分割部５０は、検索部４０による検索結果に基づいて画像データを分割し、分割画像データを生成する。
【００１８】
データ付加部６０は、第１データと分割画像データとを関連付ける。すなわち、データ付加部６０は、検索のための目印として第１データを分割画像データに付加する。
【００１９】
制御部７０は、分割画像データに関連付けられた第１データに基づいて所定の処理を行う。制御部７０は、画像読取部１０、認識部３０、検索部４０、画像分割部５０及びデータ付加部６０を制御する。本実施形態において、制御部７０は、中央演算処理装置（Ｃｅｎｔｒａｌ  Ｐｒｏｃｅｓｓｉｎｇ  Ｕｎｉｔ：ＣＰＵ）である。
【００２０】
以上、図１を参照して説明したように、画像読取装置１は、画像読取部１０と認識部３０と検索部４０と画像分割部５０とデータ付加部６０と制御部７０とを備える。画像読取装置１は原稿を読み取り、画像データを生成する。そして画像データに含まれる認識データを認識し、認識したデータの中から第１データを検索する。更に、画像読取装置１は検索結果に基づいて作成した画像データを分割し、分割した画像データと第１データとを関連付ける。したがって、画像読取装置１は第１データに基づいて、分割した画像データを併合することができる。その結果、ユーザーは、原稿に煩雑に記載された情報から、ユーザーの必要とする情報を集約して取得することができる。
【００２１】
例えば、制御部７０は、画像併合部７１と画像処理部７２とを有する。画像併合部７１は、第１データに基づいて画像分割部５０が生成した複数の分割画像データから少なくとも１以上の併合画像データを生成する。画像処理部７２は、ユーザーの指示に基づいて画像データ（分割画像データ及び併合画像データ）の並び替え及び削除などの処理を行う。
【００２２】
なお、図１に示すように画像読取装置１は、入出力部２０を更に備えることができる。また、画像読取装置１は、記憶部８０を更に備えることができる。
【００２３】
入出力部２０は、情報の入力若しくは出力又はその双方を行う。本実施形態において入出力部２０は液晶のタッチパネルである。入出力部２０は、制御部７０に制御される。
【００２４】
記憶部８０は、画像データ、ファームウェア及び設定情報を記憶する。本実施形態において、記憶部８０は、ＲＡＭ（Ｒａｎｄｏｍ  Ａｃｃｅｓｓ  Ｍｅｍｏｒｙ）又はＲＯＭ（Ｒｅａｄ  Ｏｎｌｙ  Ｍｅｍｏｒｙ）である。記憶部８０は、制御部７０を介して入出力部２０と画像データの受け渡しを行う。
【００２５】
次に、図１〜図３を参照して、本発明の実施形態１に係る画像読取装置１について更に詳細に説明する。図２（ａ）は、本発明の実施形態１に係る画像読取装置１が読み取る原稿Ｍを示す。図２（ｂ）は、本発明の実施形態１に係る画像読取装置１が備える入出力部２０を示す。
【００２６】
図２（ａ）に示すように、原稿Ｍは、１枚のＡ４サイズの原稿であり、文書及び図が手書きで記載されている。ユーザーが、原稿Ｍに記載されている情報を２つ（範囲Ａ１及び範囲Ａ２）に分割したいと考えた場合、図２（ａ）において原稿Ｍの左側に範囲記号Ｃを追記する。本実施形態では、ユーザーは、原稿Ｍの範囲Ａ１の始点と終点とに範囲記号Ｃとして三角記号Ｔｒを追記する。更に、ユーザーは、原稿Ｍの範囲Ａ２の始点と終点とに範囲記号Ｃとして星記号Ｓｔを追記する。
【００２７】
三角記号Ｔｒは、範囲Ａ１の始点の三角記号Ｔｒ１と、範囲Ａ１の終点の三角記号Ｔｒ２とを含み、星記号Ｓｔは、範囲Ａ２の始点の星記号Ｓｔ１と範囲Ａ２の終点の星記号Ｓｔ２とを含む。図２（ａ）において、原稿Ｍ１は、三角記号Ｔｒ及び星記号Ｓｔが追記された原稿Ｍである。なお、本実施形態では原稿Ｍ及び原稿Ｍ１の情報は文書及び図に限定されず、原稿Ｍ及び原稿Ｍ１の情報は、絵画であり得る。
【００２８】
また、本実施形態では、原稿Ｍに追記する記号は、三角記号Ｔｒ及び星記号Ｓｔであるが、日付、括弧記号又は所定の文字などであってもよい。更に、本実施形態では、範囲記号Ｃを追記する位置は、原稿Ｍ上の左側であるが、原稿Ｍの右側又は原稿Ｍの中央であってもよい。
【００２９】
図２（ｂ）に示すように、制御部７０は、原稿Ｍ１から生成した分割画像データ５１０（分割画像データ５１１及び分割画像データ５１２）を入出力部２０に表示する。分割画像データ５１０は、原稿Ｍ１の画像データを第１データに基づいて分割した画像データを示す。すなわち、分割画像データ５１０は、１枚の原稿Ｍ１の画像データを細分化した画像データを示す。また、分割画像データ５１０には、第１データが関連付けられている。分割画像データ５１０は、制御部７０により、第１データに基づいて並び替えなどの所定の処理が行われ、入出力部２０に表示された画像データを示す。すなわち、分割画像データ５１０は、原稿Ｍ１に記載された情報からユーザーの必要とする情報に集約された画像データを示す。なお、本実施形態では、第１データは、三角記号Ｔｒ及び星記号Ｓｔをデータ化した三角記号データ及び星記号データを示す。
【００３０】
分割画像データ５１１は、分割画像データ５１０のうち、原稿Ｍ１の範囲Ａ１から生成された画像データを示す。分割画像データ５１２は、分割画像データ５１０のうち、原稿Ｍ１の範囲Ａ２から生成された画像データを示す。分割画像データ５１０（分割画像データ５１１及び分割画像データ５１２）からは、第１データ（範囲記号Ｃ）は消去される。なお、分割画像データ５１０（分割画像データ５１１及び分割画像データ５１２）から第１データ（範囲記号Ｃ）を消去しないことも可能である。また、本実施形態では、分割画像データは、１枚の原稿Ｍ１を示す画像データから生成されているが、複数枚の原稿Ｍ１を示す画像データから生成することもできる。
【００３１】
次に、図１〜図３を参照して、本発明の実施形態１に係る画像読取装置１の原稿Ｍ１の画像データ生成処理について説明する。図３に示すように、ステップＳ１００からステップＳ１０７を実行することによって画像データの生成処理が行われる。本実施形態において、第１データとして、三角記号データが設定されている。
【００３２】
ステップＳ１００：ユーザーからの原稿読み取り開始の指示により、画像読取部１０は、原稿の読み取り処理を開始する。
【００３３】
ステップＳ１０１：画像読取部１０は、原稿Ｍ１から画像データを生成する。
【００３４】
ステップＳ１０２：認識部３０は、画像データに含まれる認識データを認識する。
【００３５】
ステップＳ１０３：検索部４０は、認識データの中から第１データを検索する。
【００３６】
ステップＳ１０４：認識データに第１データが含まれる場合（ステップＳ１０４：ＹＥＳ）、具体的には、認識データに三角記号データが含まれる場合、画像データ生成処理はステップＳ１０５に進む。認識データに第１データが含まれない場合（ステップＳ１０４：ＮＯ）、具体的には、認識データに三角記号データが含まれない場合、画像データ生成処理は終了する。
【００３７】
ステップＳ１０５：画像分割部５０は、検索部４０による検索結果に基づいて、画像データを分割し、分割画像データ５１０（分割画像データ５１１）を生成する。
【００３８】
ステップＳ１０６：データ付加部６０は、第１データと分割画像データ５１０とを関連付ける。具体的には、データ付加部６０は、三角記号データと分割画像データ５１１とを関連付ける。
【００３９】
ステップＳ１０７：制御部７０は、分割画像データ５１０に関連付けられた第１データに基づいて、所定の処理を行う。具体的には、三角記号データに基づいて、分割画像データ５１０の並び替えを行い、分割画像データ５１０を入出力部２０に表示する。
【００４０】
画像読取装置１は、ステップＳ１００からステップＳ１０７を繰り返すことによって、画像データ生成処理を行う。
【００４１】
以上、図１〜図３を参照して説明したように、画像読取装置１は、画像読取部１０と認識部３０と検索部４０と画像分割部５０とデータ付加部６０と制御部７０とを備える。画像読取装置１は、原稿Ｍ１から画像データを生成する。画像読取装置１は、ユーザーにより原稿Ｍ１に追記された範囲記号Ｃをデータ化した第１データに基づいて、画像データから分割画像データ５１０を生成する。そして、画像読取装置１は分割画像データ５１０と第１データとを関連付ける。制御部７０は分割画像データ５１０に関連付けられた第１データに基づいて所定の処理を行う。したがって、画像読取装置１は、第１データに基づいて、画像データを関連する情報ごとに集約して、取得することができる。その結果、ユーザーは原稿Ｍに煩雑に記載された情報を、ユーザーの必要とする情報ごとに集約して取得することができる。
［実施形態２］
次に、図１及び図４〜図７を参照して、本発明の実施形態２に係る画像読取装置１について説明する。実施形態２の画像読取装置１は、原稿の読取形式として、１枚の原稿から１つの画像データを生成する「通常モード」と１枚の原稿から２つの画像データを生成する「見開きモード」の２つを有する。図４（ａ）は、実施形態２に係る画像読取装置１が「見開きモード」として読み取る原稿Ｍを示す。図４（ｂ）は、実施形態２に係る画像読取装置１が「見開きモード」として原稿を読み取った場合の入出力部２０を示す。
【００４２】
まず、ユーザーが、原稿の読取形式として「見開きモード」を選択した場合について説明する。図４（ａ）に示すように、原稿Ｍは、見開きＡ３サイズの原稿であり、文書及び図が手書きで記載されている。原稿Ｍは、手帳又はノートなどの見開きの原稿である。また、原稿Ｍの原稿サイズは、見開きＡ３サイズに限定されず、見開きＡ４サイズ又は見開きＢ４サイズであってもよい。
【００４３】
ユーザーが、原稿Ｍに記載されている情報を２つ（範囲Ａ３及び範囲Ａ４）に分割したいと考えた場合、図４（ａ）において原稿Ｍの左側に範囲記号Ｃを追記する。本実施形態では、ユーザーは、原稿Ｍの範囲Ａ３の始点と終点とに範囲記号Ｃとして三角記号Ｔｒを追記する。更に、ユーザーは原稿Ｍの範囲Ａ４の始点と終点とに範囲記号Ｃとして星記号Ｓｔを追記する。また、ユーザーの必要とする情報が複数ページに亘る場合、前述の原稿Ｍに範囲記号Ｃを追記する方法と同様に、ユーザーは、他のページに範囲記号Ｃを追記する。
【００４４】
三角記号Ｔｒは、範囲Ａ３の始点の三角記号Ｔｒ３と範囲Ａ３の終点の三角記号Ｔｒ４とを含み、星記号Ｓｔは、範囲Ａ４の始点の星記号Ｓｔ３と範囲Ａ４の終点の星記号Ｓｔ４とを含む。図４（ａ）において、原稿Ｍ２は、三角記号Ｔｒ及び星記号Ｓｔが追記された原稿Ｍである。なお、本実施形態では、原稿Ｍ及び原稿Ｍ２の情報は文書及び図に限定されず、原稿Ｍ及び原稿Ｍ２の情報は、絵画であり得る。
【００４５】
また、本実施形態では、原稿Ｍに追記する記号は、三角記号Ｔｒ及び星記号Ｓｔであるが、日付、括弧記号又は所定の文字などであってもよい。更に、本実施形態では、範囲記号Ｃを追記する位置は、原稿Ｍの左側であるが、原稿Ｍの右側又は原稿Ｍの中央であってもよい。
【００４６】
図４（ｂ）に示すように、ユーザーが原稿読取形式として「見開きモード」を選択した場合、画像読取装置１は、原稿Ｍ２を読み取り、原稿Ｍ２の画像を２つに分割した後、原稿Ｍ２から範囲記号Ｃに基づいて分割画像データ５１０（分割画像データ５１３及び分割画像データ５１４）を生成する。そして制御部７０は、生成した分割画像データ５１０（分割画像データ５１３及び分割画像データ５１４）を入出力部２０に表示する。分割画像データ５１３は、画像データ５１０のうち、原稿Ｍ２の範囲Ａ３から生成された画像データを示す。分割画像データ５１４は、画像データ５１０のうち、原稿Ｍ２の範囲Ａ４から生成された画像データを示す。
【００４７】
分割画像データ５１０（分割画像データ５１３及び分割画像データ５１４）の生成方法は、図２（ｂ）で説明した分割画像データ５１０（分割画像データ５１１及び分割画像データ５１２）の生成方法と同様であり、説明を省略する。
【００４８】
ユーザーの必要とする情報が原稿Ｍの複数ページに亘る場合は、複数ページの記載情報を示す分割画像データ５１０が生成される。それぞれの分割画像データ５１０（分割画像データ５１３及び分割画像データ５１４）には、図２（ｂ）で説明した、第１データと分割画像データ５１０（分割画像データ５１３及び分割画像データ５１４）とが関連付けられた方法と同様の方法により、第１データが関連付けられる。
【００４９】
具体的には、三角記号データと分割画像データ５１３とが関連付けられ、星記号データと分割画像データ５１４とが関連付けられる。第１データと関連付けられた分割画像データ５１０（分割画像データ５１３及び分割画像データ５１４）が２以上ある場合は、画像併合部７１は、複数の分割画像データ５１０（分割画像データ５１３及び分割画像データ５１４）から１つの併合画像データ５２０（併合画像データ５２３及び併合画像データ５２４）を生成し、入出力部２０に表示する。
【００５０】
本実施形態において、三角記号データと関連付けられた分割画像データ５１３が２以上ある場合は、複数の分割画像データ５１３から１つの併合画像データ５２３を生成し、入出力部２０に表示する。星記号データと関連付けられた分割画像データ５１４が２以上ある場合も併合画像データ５２３と同様の併合画像データ生成方法により、複数の分割画像データ５１４から１つの併合画像データ５２４を生成し、入出力部２０に表示する。
【００５１】
次に、図１及び図５を参照して、ユーザーが原稿読取形式として「通常モード」を選択した場合の画像データ生成処理について説明する。図５（ａ）は、実施形態２に係る画像読取装置１が「通常モード」として読み取る原稿Ｍ２を示す。原稿Ｍ２は、図４（ａ）に示す原稿Ｍ２と同様に、範囲記号Ｃが追記された原稿Ｍである。図５（ｂ）は、実施形態２に係る画像読取装置１が「通常モード」として原稿を読み取った場合の入出力部２０を示す。ユーザーが原稿読取形式として「通常モード」を選択し、画像読取装置１が図４を参照して説明した原稿Ｍ２と同様の原稿を読み取った場合、画像読取装置１は、原稿Ｍ２の画像を２つに分割することなく、原稿Ｍ２の見開き２ページに亘った範囲Ａ５に基づいて、分割画像データ５１５を作成する。
【００５２】
そして、制御部７０は、生成した分割画像データ５１５を、入出力部２０に表示する。画像併合部７１は、複数の分割画像データ５１０（分割画像データ５１５）から１つの併合画像データ５２０（併合画像データ５２５）を生成し、入出力部２０に表示する。図５（ｂ）を参照して説明した分割画像データ生成方法及び併合画像データ生成方法は、図４（ｂ）を参照して説明した分割画像データ生成方法及び併合画像データ生成方法と同様であり、説明を省略する。
【００５３】
次に、図１、図３、図４、図６及び図７を参照して、実施形態２に係る画像読取装置１の原稿Ｍの画像データ生成処理について説明する。図６は、図３に示すステップＳ１００〜ステップＳ１０１における原稿の読み取り処理を詳細に示すフローチャートである。図７は、図３に示すステップＳ１０７における所定の処理を詳細に示すフローチャートである。
【００５４】
図６に示すように、ステップＳ２００からステップＳ２０６を実行することによって、図３に示すステップＳ１００〜ステップＳ１０１における原稿の読み取り処理が行われる。
【００５５】
ステップＳ２００：ユーザーは、Ｓ（見開きモード）及びＮ（通常モード）のうち、所望の読取形式を選択する。
【００５６】
ステップＳ２０１：原稿の読取形式としてＳ（見開きモード）が選択された場合（ステップＳ２０１：Ｓ）、画像データ生成処理はステップＳ２０２に進む。原稿の読取形式としてＮ（通常モード）が選択された場合（ステップＳ２０１：Ｎ）、画像データ生成処理はステップＳ２０５に進む。
【００５７】
ステップＳ２０２：画像読取部１０は、原稿を読み取る。
【００５８】
ステップＳ２０３：画像読取部１０は、画像データを生成する。
【００５９】
ステップＳ２０４：画像読取部１０は、画像データを２つに分割する。
【００６０】
ステップＳ２０５：画像読取部１０は、原稿を読み取る 。
【００６１】
ステップＳ２０６：画像読取部１０は、画像データを生成する。
【００６２】
画像読取部１０は、ステップＳ２００からステップ２０６を繰り返すことによって、原稿の読み取り処理を行う。画像読取装置１は、図３に示すステップＳ１０２に戻り認識データを認識する。
【００６３】
次に、図７に示すように、ステップＳ３００からステップＳ３０４を実行することによって、図３に示すステップＳ１０７おける所定の処理が行われる。本実施形態において、第１データとして三角記号データが設定されている。
【００６４】
ステップＳ３００：記憶部８０は、分割画像データ５１０を記憶する。
【００６５】
ステップＳ３０１：画像処理部７２は、第１データに基づいて記憶部８０に記憶された分割画像データ５１０を並び替える。
【００６６】
ステップＳ３０２：同一の第１データが関連付けられた分割画像データ５１０が２以上ある場合（ステップＳ３０２：ＹＥＳ）、具体的には、三角記号データが関連付けられた分割画像データ５１３が２以上ある場合、画像データ生成処理は、ステップＳ３０３に進む。同一の第１データが関連付けられた分割画像データ５１０が２以上ない場合（ステップＳ３０２：ＮＯ）、具体的には、三角記号データが関連付けられた分割画像データ５１３が２以上ない場合、画像データ生成処理は、ステップＳ３０４に進む。
【００６７】
ステップＳ３０３：画像併合部７１は、第１データに基づいて、分割画像データ５１０から１つの併合画像データ５２０を生成する。具体的には、三角記号データが関連付けられた分割画像データ５１３が２以上あった場合、画像併合部７１は、三角記号データに基づいて、複数の分割画像データ５１３から１つの併合画像データ５２３が生成する。
【００６８】
ステップＳ３０４：画像処理部７２は、画像データ（分割画像データ５１０及び併合画像データ５２０）を入出力部２０に表示する。
【００６９】
図７に示すように、ステップＳ３００からステップＳ３０４を実行することによって、図３に示すステップＳ１０７における所定の処理が行われる。
【００７０】
以上、図１、図３、図４、図６及び図７を参照して説明したように、画像読取装置１は、第１データに基づいて、複数の分割画像データから少なくとも１以上の併合画像データを生成する。また、画像読取装置１は、原稿の読取形式として１枚の原稿から１つの画像データ５００を生成する「通常モード」と１枚の原稿から２つの画像データを生成する「見開きモード」とを有する。したがって、画像読取装置１は、様々な原稿形式に対応することができ、ユーザーが原稿を画像読取装置１にセットする際の手間を軽減させる。その結果、ユーザーの利便性が向上する。
【００７１】
［実施形態３］
次に、図１、図８及び図９を参照して、本発明の実施形態３に係る画像読取装置１における第１データの任意設定について説明する。図８（ａ）は、本発明の実施形態３に係る画像読取装置１が読み取る原稿Ｍを示す。図８（ｂ）は、本発明の実施形態３に係る画像読取装置１が備える入出力部２０を示す。
【００７２】
図８に示すように、原稿Ｍは、見開きＡ３サイズの原稿であり、文書及び図が手書きで記載されている。原稿Ｍ３は、日付文字又は記号文字が記載されている原稿Ｍである。
【００７３】
ユーザーが、原稿Ｍ３の文書に含まれる文字又は記号に基づいて、原稿Ｍ３に記載されている情報を分割したいと考えた場合、ユーザーは、入出力部２０を介して、第１データを認識データの中から選択する旨、検索部４０に設定する。実施形態３では、ユーザーが、原稿Ｍ３の文書に含まれる日付文字に基づいて、原稿Ｍ３に記載されている情報を範囲Ａ６と範囲Ａ７とに分割したいと考えた場合、ユーザーは、入出力部２０を介して、第１データとして、日付文字をデータ化した日付文字データを検索部４０に設定する。第１データは、入出力部２０を介して、任意に設定される。
【００７４】
図８（ａ）における「８／２３」及び「８／２４」は、日付文字Ｄａを示す。本実施形態では、日付文字Ｄａの形式は「８／２３」に限定されず、「１３/０８/２３」、「２０１３／０８／２３」又は「０８／２３」であり得る。第１データは、原稿Ｍ３の画像データに含まれる認識データの中から任意に選択され得る。
【００７５】
検索部４０は、認識データの中からユーザーが第１データを選択するための候補（第１データ候補）を認識した場合、入出力部２０を介して、第１データ候補を第１データとして選択するか否かの問い合わせをユーザーに行う。ユーザーは、入出力部２０を介して、問い合わせを受けた第１データ候補を第１データとして選択するか否かを回答する。本実施形態では、ユーザーが、第１データ候補の「８／２３」の日付文字データを第１データとして選択するとした場合、「８／２３」の日付文字データが第１データとして、画像読取装置１に設定される。図８（ａ）に示す範囲Ａ６は、始点が「８／２３」を示す日付データであり、終点が「８／２３」とは異なる日付「８／２４」を示す日付文字データである範囲Ａである。
【００７６】
なお、第１データを、例えば、所定の文字データ又は記号データの頻出度に基づいて選択することもできる。所定の文字データ又は記号データの頻出度は、認識データに含まれるすべての文字データ又は記号データに対する、認識データに含まれる所定の文字データ又は記号データの割合を示す。具体的には、第１データは、認識データに含まれる文字データ又は記号データのうち、ユーザーの指定した割合以上の頻出度である文字データ又は記号データを第１データとして選択することもできる。
【００７７】
制御部７０は、認識データに含まれる所定の文字データ又は記号データの頻出度を算出する。そして、制御部７０は、ユーザーの指定した割合以上の頻出度である文字データ又は記号データを第１データ候補とする。検索部４０は、認識データの中から第１データ候補を認識した場合、入出力部２０を介して、第１データ候補を第１データとして選択するか否かの問い合わせをユーザーに行う。第１データの選択方法は、前述の日付データを第１データとして選択する方法と同様であり、説明を省略する。
【００７８】
図８（ｂ）に示すように、画像読取装置１は、原稿Ｍ３から生成した分割画像データ５１０（分割画像データ５１６及び分割画像データ５１７）を入出力部２０に表示する。分割画像データ５１０は、原稿Ｍ３の画像データを第１データに基づいて分割した画像データを示す。本実施形態では、第１データは、日付文字を示す日付文字データである。
【００７９】
分割画像データ５１６は、分割画像データ５１０のうち原稿Ｍ３の範囲Ａ６から生成された画像データを示す。分割画像データ５１７は、分割画像データ５１０のうち原稿Ｍ３の範囲Ａ７から生成された画像データを示す。
【００８０】
次に、図１、図８及び図９を参照して、本発明の実施形態３に係る画像読取装置１の原稿Ｍ３の画像データ生成処理について説明する。図９に示すように、ステップＳ４００からステップＳ４０９を実行することによって画像データ生成処理が行われる。本実施形態において、図８（ａ）に示す日付文字「８／２３」に基づいて範囲Ａ６を取得する。
【００８１】
ステップＳ４００：ユーザーは、第１データを認識データの中から選択する旨を画像読取装置１に設定する。具体的には、第１データとして日付文字データを選択する旨を検索部４０に設定する。
【００８２】
ステップＳ４０１：ユーザーからの原稿読み取り開始の指示により、画像読取部１０は、原稿の読み取り処理を開始する。
【００８３】
ステップＳ４０２：画像読取部１０は、原稿Ｍ３から画像データを生成する。
【００８４】
ステップＳ４０３：認識部３０は、画像データに含まれる認識データを認識する。
【００８５】
ステップＳ４０４：検索部４０は、認識データの中から第１データ候補を検索する。
【００８６】
ステップＳ４０５：制御部７０は、第１データ候補を第１データとして選択するか否かをユーザーに問い合わせる。ユーザーが第１データ候補を第１データとして選択するよう回答した場合（ステップＳ４０５：ＹＥＳ）、具体的には、「８／２３」を示す日付データを第１データとして選択すると回答した場合、画像データ生成処理は、ステップＳ４０６に進む。ユーザーが第１データ候補を第１データとして選択しないよう回答した場合（ステップＳ４０５：ＮＯ）、具体的には、「８／２３」の日付データを第１データとして選択しないと回答した場合、画像データ生成処理は、ステップＳ４０４に進む。
【００８７】
ステップＳ４０６：検索部４０は、第１データ候補を第１データとする。
【００８８】
ステップＳ４０７：画像分割部５０は、検索部４０による検索結果に基づいて、画像データから分割画像データ５１０（分割画像データ５１６）を生成する。
【００８９】
ステップＳ４０８：データ付加部６０は、分割画像データ５１０（分割画像データ５１６）と第１データとを関連付ける。本実施形態では、データ付加部６０は、分割画像データ５１６と日付文字データ（８／２３）とを関連付ける。
【００９０】
ステップＳ４０９： 制御部７０は、分割画像データ５１０に関連付けられた第１データに基づいて、所定の処理を行う。具体的には、「８／２３」を示す日付文字データに基づいて、分割画像データ５１０の並び替えを行い、分割画像データ５１０を入出力部２０に表示する。
【００９１】
画像読取装置１は、ステップＳ４００からステップＳ４０９を繰り返すことによって、画像データ生成処理を行う。
【００９２】
以上、図１、図８及び図９を参照して説明したように、画像読取装置１は、第１データとして、日付文字データ、文字データ又は記号データなどを任意に設定できる。また、画像読取装置１は、認識データの中から任意に第１データを選択できる。したがって、ユーザーは、原稿Ｍに範囲記号Ｃを追記する必要がなくなる。その結果、ユーザーの利便性が向上する。
【００９３】
［実施形態４］
前述した画像読取装置１は原稿Ｍを読み取って画像データを生成したが、図１及び図１０を参照して後述するように、画像読取装置１によって読み取られ生成された画像データに基づいて画像が形成されてもよい。図１０は、本発明の実施形態４による画像形成装置１００を示す模式図である。本実施形態４において画像形成装置１００は複写機である。
【００９４】
画像形成装置１００は、画像読取装置１と、画像形成部２００とを備える。画像形成部２００は、定着装置２１０と、給紙カセット２２０と、作像部２３０と、トナー補給装置２４０と、用紙排出部２５０と、用紙搬送部２６０とを備える。画像形成部２００は、画像読取装置１で読み取った原稿Ｍを示す画像データに基づいて画像を形成する。
【００９５】
給紙カセット２２０には、印刷用の用紙Ｐが収容されている。用紙Ｐに対して複写を行う際、給紙カセット２２０内の用紙Ｐは、作像部２３０と定着装置２１０とを経由して用紙排出部２５０から排出されるように、用紙搬送部２６０によって搬送される。
【００９６】
作像部２３０では、トナー像を用紙Ｐに形成する。作像部２３０は、感光体２３１と現像装置２３２と転写装置２３３とを含む。感光体２３１には、画像読取装置１で生成された画像データ５００の電子信号に基づいたレーザーによって静電潜像が形成される。現像装置２３２は現像ローラー２２１を有する。現像ローラー２２１は、感光体２３１にトナーを供給して静電潜像を現像させることで、感光体２３１にトナー像を形成する。
【００９７】
転写装置２３３は、感光体２３１に形成されたトナー像を用紙Ｐに転写する。定着装置２１０では、定着部材２１１と加圧部材２１２とによって用紙Ｐを加熱及び加圧することで、作像部２３０において形成された未定着のトナー像を溶融させて用紙Ｐに定着させる。
【００９８】
なお、画像形成装置１００は、複写機に限定されない。複写機、プリンター、ファクシミリ又はこれらの機能を兼ね備えた複合機であり得る。
【００９９】
以上、図面（図１〜図１０）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【産業上の利用可能性】
【０１００】
本発明は、画像読取装置の分野に利用可能である。
【符号の説明】
【０１０１】
１      画像読取装置
１０    画像読取部
２０    入出力部
３０    認識部
４０    検索部
５０    画像分割部
６０    データ付加部
７０    制御部
７１    画像併合部
７２    画像処理部
８０    記憶部
１００  画像形成装置
５１０ 分割画像データ
５２０ 併合画像データ
【図１】
2015142258.tif 000003
【図２】
2015142258.tif 000004
【図３】
2015142258.tif 000005
【図４】
2015142258.tif 000006
【図５】
2015142258.tif 000007
【図６】
2015142258.tif 000008
【図７】
2015142258.tif 000009
【図８】
2015142258.tif 000010
【図９】
2015142258.tif 000011
【図１０】
2015142258.tif 000012